(57)【要約】      （修正有）【課題】排出するシートを排出トレイによって受ける際のシートの整列性を向上する。【解決手段】筐体と、前記筐体に設けられた給紙口と、前記給紙口から給紙されたシートを搬送路に沿って搬送する搬送手段と、前記シートを前記筐体から排出するための排出口と、前記排出口から排出された前記シートを受ける排出トレイとを備え、前記排出トレイは第１排出トレイとその下流側に設けられた第２排出トレイからなり、前記第２排出トレイは、前記第１排出トレイに対し回動可能に取り付けられることを特徴とする。【選択図】図９
2018104155.tif 000002
【特許請求の範囲】
【請求項１】
筐体と、  前記筐体に設けられた給紙口と、  前記給紙口から給紙されたシートを搬送路に沿って搬送する搬送手段と、  前記シートを前記筐体から排出するための排出口と、  前記排出口から排出された前記シートを受ける排出トレイとを備え、  前記排出トレイは第１排出トレイとその下流側に設けられた第２排出トレイからなり、前記第２排出トレイは、前記第１排出トレイに対し回動可能に取り付けられることを特徴とするシート搬送装置。
【請求項２】
前記排出トレイは、前記筐体に沿うように折り畳まれた状態から、前記排出口から排出された前記シートを受ける位置へ回動可能なように取り付けられていることを特徴とする請求項１に記載のシート搬送装置。
【請求項３】
前記第２排出トレイは回動支点を回動中心として前記第１排出トレイに対して取り付けられ、前記回動支点が、前記第１排出トレイに沿って移動可能であることを特徴とする請求項１又は２に記載のシート搬送装置。
【請求項４】
前記第２排出トレイは、前記第１排出トレイに対して収納可能に取り付けられ、前記第１排出トレイから引き出されることで、前記第１排出トレイに対して回動可能となることを特徴とする請求項１から３のいずれか一項に記載のシート搬送装置。
【発明の詳細な説明】
【技術分野】
【０００１】
本発明は、シートを搬送する搬送装置及びその制御方法、シートから情報を読み取る情報読取装置に関する。
【背景技術】
【０００２】
複写機、スキャナ、プリンタ等において、複数枚のシートを１枚ずつ搬送する機構を備えたものが知られている。例えば、スキャナでは小切手、ドキュメント等の原稿束が原稿台状に載置され、給紙機構によりこれが１枚ずつ分離して搬送しながら、原稿の画像を読み取る画像読取装置が知られている。
【先行技術文献】
【特許文献】
【０００３】
【特許文献１】特開２０１４−７２５６４号公報
【特許文献２】特開２０１３−０２３３０７号公報
【発明の概要】
【発明が解決しようとする課題】
【０００４】
特許文献１に開示されている装置は、筐体のシート排出口側に排出トレイが設けられている。これにより、排出されるシートを受けて整列性を向上している。
【０００５】
しかしながら、特許文献１にある排出トレイに対して排出する紙の種類によっては必ずしも整列性よくシートを受けることが出来ないという課題があった。
【０００６】
また、特許文献２に開示されている装置では、特許文献１の課題に対して、筐体にトレイ支持部を設け、排出トレイを持ち上げることで整列性を向上している。
【０００７】
しかしながら、特許文献２にある方法では、排出トレイに搬送媒体が載ったままではトレイ支持部を引き出すことが出来ず、搬送中に整列性が悪くなった場合は搬送を止めなければならないという課題があった。
【０００８】
本発明は、搬送中であってもシート排出トレイの角度を調整し、排出されたシートの整列性を向上可能な技術を提供するものである。
【課題を解決するための手段】
【０００９】
本発明によれば、
筐体と、  前記筐体に設けられた給紙口と、  前記給紙口から給紙されたシートを搬送路に沿って搬送する搬送手段と、  前記シートを前記筐体から排出するための排出口と、  前記排出口から排出された前記シートを受ける排出トレイとを備え、  前記排出トレイは第１排出トレイとその下流側に設けられた第２排出トレイからなり、前記第２排出トレイは、前記第１排出トレイに対し回動可能に取り付けられることを特徴とする。
【発明の効果】
【００１０】
本発明によれば、排出されたシートの大きさや種類によらず搬送中であっても排出されたシートの整列性を向上することができる。
【図面の簡単な説明】
【００１１】
【図１】本発明の一実施形態に係る画像読取装置の概略図。
【図２】図１の画像読取装置の制御ユニットのブロック図。
【図３】本発明の一実施形態に係る画像読取装置の正面図。
【図４】本発明の一実施形態に係る画像読取装置の他の正面図。
【図５】本発明の一実施形態に係る画像読取装置の上面図。
【図６】本発明の一実施形態に係る画像読取装置の他の上面図。
【図７】本発明の一実施形態に係る画像読取装置の概略断面図。
【図８】本発明の一実施形態に係る画像読取装置の他の概略断面図。
【図９】本発明の一実施形態に係る第２ヒンジの模式図。
【図１０】本発明の一実施形態に係る第２排出トレイ２ｂを回動させた時の第２ヒンジの様子を模式的に表した図。
【図１１】本発明の一実施形態に係る排出トレイの使用時における画像読取装置の排紙部概略断面図。
【図１２】本発明の一実施形態に係る他の排出トレイを取り付けた画像読取装置の概略断面図。
【図１３】本発明の一実施形態に係る他の排出トレイ使用時における画像読取装置の概略断面図。
【発明を実施するための形態】
【００１２】
図１は本発明の一実施形態に係る画像読取装置Ａの概略図である。
【００１３】
＜装置の構成＞
画像読取装置Ａは、載置台１に積載された一又は複数の搬送媒体Ｓを１つずつ装置内に経路ＲＴにて搬送してその画像を読み取り、排出トレイ２に排出する装置である。読み取る搬送媒体Ｓは、例えば、ＯＡ紙、小切手、名刺、カード類等のシートであり、厚手のシートであっても、薄手のシートであってもよい。カード類は、例えば、保険証、免許証、クレジットカード等を挙げることができる。搬送媒体Ｓには、また、パスポートなどの冊子も含まれる。冊子を対象とする場合、後述するホルダを用いることができる。ホルダに見開き状態の冊子を収納して載置台１に載置することで、冊子がホルダと共に搬送され、その画像を読み取ることができる。
【００１４】
＜給紙＞
経路ＲＴに沿って搬送媒体Ｓを給送する給送機構としての第１搬送部１０が設けられている。第１搬送部１０は本実施形態の場合、送りローラ１１と、送りローラ１１に対向配置される分離ローラ１２と、を備え、載置台１上の搬送媒体Ｓを給紙口から搬送方向Ｄ１に一つずつ順次搬送する。送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
【００１５】
＜駆動部＞
駆動部３と送りローラ１１とを接続する伝達部５は、例えば、本実施形態では、通常時において駆動力が伝達される状態とし、搬送媒体Ｓの逆送の場合に駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
【００１６】
＜分離構造＞
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向））に回転駆動される。
【００１７】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００１８】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作業を持たせるようにしてもよい。
【００１９】
＜搬送構造＞
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００２０】
このような第２搬送部２０よりも搬送方向下流側にある第３搬送部３０は、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は排出機構として機能する。駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れまわる。この従動ローラ３２は、バネ等の付勢ユニット（不図示）によって駆動ローラ３１に対して付勢された構成としてもよい。
【００２１】
排出トレイ２は、画像読取装置Ａに対して回動可能なように、画像読取装置Ａの下方に設けられた第１ヒンジ１０１を介して軸支されている。また、第１ヒンジ１０１側の第１排出トレイ２ａとその先端側に接続された第２排出トレイ２ｂとから構成されており、第２排出トレイ２ｂは第１排出トレイ２ａに対して回動可能に軸支されている。
【００２２】
＜画像読取構造、制御＞
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。搬送速度は常に第１搬送部１０の搬送速度以上とすることで、先行搬送媒体Ｓに後続搬送媒体Ｓが追いついてしまう事態を確実に回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００２３】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
【００２４】
＜重送検出＞
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
【００２５】
＜レジストセンサ＞
このような重送検出センサ４０よりも搬送方向下流側に配置される媒体検出センサ５０は第２搬送部２０よりも上流側で、第１搬送部１０よりも下流側に配置された上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。媒体検出センサ５０としては、種々のものが利用可能であるが、本実施形態の場合には光学センサであり、発光部５１とその受光部５２とを備え、搬送媒体Ｓの到達又は通過により受光強度（受光量）が変化すること
を原理として搬送媒体Ｓを検出する。
【００２６】
本実施形態の場合、搬送媒体Ｓの先端が媒体検出センサ５０で検出されると、搬送媒体Ｓが重送検出センサ４０により重送を検出可能な位置に到達しているように、上記の媒体検出センサ５０は重送検出センサ４０の近傍においてその下流側に設けられている。なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００２７】
媒体検出センサ５０とは別の媒体検出センサ６０が画像読取ユニット７０よりも上流側に配置されている。第２搬送部２０よりも下流側に配置された下流側の検出センサとしての一例であり、第２搬送部２０により搬送される搬送媒体Ｓの位置を検出する。媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、何れか一方だけでもよい。
【００２８】
＜ＣＩＳの配置＞
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。本実施形態の場合、画像読取ユニット７０は経路ＲＴの両側に一つずつ配置されており、搬送媒体Ｓの表裏面を読み取る。しかし、経路ＲＴの片側にのみ一つ配置して、搬送媒体Ｓの片面のみを読み取る構成としてもよい。また、本実施形態では、画像読取ユニット７０を経路ＲＴの両側に対向配置した構造としているが、例えば、経路ＲＴの方向に間隔をあけて配置してもよい。
【００２９】
＜ブロック図の説明＞
図２を参照して制御部８０について説明する。図２は画像読取装置Ａの制御部８のブロック図である。
【００３０】
制御部８０はＣＰＵ８１、記憶部８２、操作部８３、通信部８４及びインターフェース部８６を備える。ＣＰＵ８１は記憶部８２に記憶されたプログラムを実行することにより、画像読取装置Ａ全体の制御を行う。記憶部８２は例えばＲＡＭ、ＲＯＭ等から構成される。操作部８３は、例えば、スイッチやタッチパネル等で構成され、操作者からの操作を受け付ける。
【００３１】
通信部８４は、外部装置との情報通信を行うインターフェースである。外部装置としてＰＣ（パソコン）を想定した場合、通信部８４としては、例えば、ＵＳＢインターフェースやＳＣＳＩインターフェースを挙げることができる。また、このような有線通信のインターフェースの他、通信部８４は無線通信のインターフェースとしてもよく、有線通信、無線通信の双方のインターフェースを備えていてもよい。
【００３２】
インターフェース部８６はアクチュエータ８５やセンサ８７とのデータの入出力を行うＩ／Ｏインターフェースである。アクチュエータ８５には、駆動部３、駆動部４、伝達部５等が含まれる。センサ８７には、重送検出センサ４０、媒体検出センサ５０及び６０、画像読取ユニット７０等が含まれる。
【００３３】
＜ＰＣからの開始指示受信による駆動＞
画像読取装置Ａの基本的な動作について説明する。制御部８０は、例えば画像読取装置Ａが接続された外部パソコンから画像読み取りの開始指示を受信すると、第１乃至第３搬送部１０乃至３０の駆動を開始する。載置台１に積載された搬送媒体Ｓはその最も下に位置する搬送媒体Ｓから１つずつ搬送される。
【００３４】
＜重送時の制御＞
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
【００３５】
＜レジストセンサの出力に応じた読取開始＞
制御部８０は、媒体検出センサ６０の検出結果に基づくタイミングで、第２搬送部２０により搬送されてきた搬送媒体Ｓの、画像読取ユニット７０、７０による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
【００３６】
＜排紙構造＞
図３は本発明の一実施形態に係る画像読取装置Ａの排出トレイ２を展開した状態の正面図である。
【００３７】
正面上部の表示パネル９０には表示画面９３が設けられ、隣接した位置に操作キー１２２が設けられている。
【００３８】
正面下部の下部パネル９１には排出口の一例としての排出開口９２が設けられており、第３搬送部３０によって搬送された搬送媒体Ｓが排出される。
【００３９】
図４は本発明の一実施形態に係る画像読取装置Ａの排出トレイ２を収納した状態の正面図である。
【００４０】
排出トレイ２は、画像読取装置Ａに対して回動可能なように、画像読取装置Ａの下方に設けられた第１ヒンジ１０１を介して軸支されており、第１排出トレイ２ａ及び第２排出トレイ２ｂによって筐体の一例としての本体１００前面を覆うように構成されている。
【００４１】
第１排出トレイ２ａは、第１ヒンジ１０１を支点として回動可能に画像読取装置Ａの本体１００に取り付けられている。第１排出トレイ２ａは、下部パネル９１及び排出開口９２を合わせた面積と同サイズで形成され、図４に示すような排出トレイ２の収納状態において、第１ヒンジ１０１を支点として回動し、下部パネル９１及び排出開口９２を覆うように折り畳まれる。
【００４２】
第２排出トレイ２ｂは、表示パネル９０と同サイズで形成され、図４に示すような排出トレイ２の収納状態において、第１排出トレイ２ａの先端に設けられた第２ヒンジ１０２を支点として回動し、表示パネル９０と重なるように折り畳まれる。
【００４３】
図５は本発明の一実施形態に係る画像読取装置Ａの排出トレイ２を展開した状態における上面図である。
【００４４】
第３搬送部３０により搬送されてきた搬送媒体Ｓは、排出開口９２を経て第１排出トレイ２ａに排出され、搬送媒体Ｓのサイズによっては第２排出トレイ２ｂまで到達し、案内される。
【００４５】
第１排出トレイ２ａには、排出位置調整部材１２０が回動可能に設けられており、名刺などのような第１排出トレイ２ａに対して小さいサイズの搬送媒体Ｓが排出されるときなどに、起立状態に回動させることで搬送媒体Ｓが停止する位置を調整し、排出された搬送媒体Ｓを散らばりにくくすることができる。
【００４６】
また、第２排出トレイ２ｂには、透光部１２１が設けられており、表示パネルに設けられた操作キー１２２と重なる位置に配置されている。操作キー１２２は本体電源をオン、オフする電源ボタンとなっており、電源オン状態においてはボタンが点灯するように構成されている。操作キー１２２と重なる位置に配置された透光部１２１は、排出トレイ２の収納状態においても操作キー１２２が点灯状態であるか、消灯状態であるかを確認することができ、画像読取装置Ａの電源状態を確認することができる。
【００４７】
＜表示パネルの構成＞  第２排出トレイ２ｂの収納状態において、第２排出トレイ２ｂと重なる位置に設けられた表示パネル９０には、表示画面９３が配置されている。
【００４８】
表示画面９３は、給送トレイ１１０および搬送路幅Ｗと中心線Ｘが同位置となるように配置されている。尚、本発明の一実施形態に係る画像読取装置Ａの最大搬送路幅ＷｍａｘとしてＡ４レターサイズを給送可能に構成されており、その幅はＷｍａｘ＝２１６ｍｍである。表示画面９３の幅は２２４ｍｍであり、Ｗｍａｘを超える長さとなっている。
【００４９】
これにより、例えば、読み取った画像を実寸大で表示画面９３に表示することができるようになり、仕上がり状態の確認が容易に行えるため、ユーザの利便性を向上することができる。
【００５０】
＜給送構造詳細＞  図６は本発明の一実施形態に係る画像読取装置Ａの排出トレイ２を収納した状態における上面図である。
【００５１】
給送トレイ１１０には、配置される搬送媒体Ｓの大きさに合わせて搬送方向に対して直交する方向にスライド可能に取り付けられた規制部材１１１が設けられている。
【００５２】
＜上部ユニット詳細＞  図７は本発明の一実施形態に係る画像読取装置Ａの概略断面図である。
【００５３】
本体１００は、上部ユニット１０３と下部ユニット１０４とから構成され、上部ユニット１０３は下部ユニット１０４に対し、本体ヒンジ１０５を支点として回動可能に取り付けられている。
【００５４】
上部ユニット１０３は、表示パネル９０に最大搬送路幅Ｗｍａｘを超える幅の表示画面９３及び表示画面９３の支持フレーム板金を備えているため、図８に示すように上部ユニット１０３を展開した状態における重心は、図１に示すような上部ユニット１０３を収納した状態よりも搬送方向前方側に大きくずれることになる。
【００５５】
したがって、上部ユニットを展開する際に勢いがあると画像読取装置Ａが転倒してしまう虞があるが、本実施形態に係る画像読取装置Ａにおいては、突出部１３０を有することにより、上部ユニット１０３の展開に伴う重心移動が起こっても画像読取装置Ａの転倒を防ぐことができる。突出部１３０の突出量は、図７のような上部ユニット１０３及び排出トレイ２の収納状態においては、排出トレイ２の下方に収まるような突出量であって、図８のような上部ユニット１０３の展開状態においては、上部ユニット１０３の重心よりも搬送方向前方まで位置するような突出量となっている。これにより、上部ユニット１０３の展開による画像読取装置Ａの転倒を防止しつつ、排出トレイ２を収納した収納状態においては必要以上に突出させず、ユーザの邪魔にならないようにすることができる。
【００５６】
＜排出トレイ角度調節＞  図９は本発明の一実施形態に係る第１排出トレイ２ａの先端に設けられた第２ヒンジ１０２の内部構造を表した図である。第２ヒンジ１０２は第１排出トレイ２ａに設けられた凸部１０２ａと第２排出トレイ２ｂに設けられた溝１０２ｂからなる。第２排出トレイ２ｂは凸部１０２ａが溝１０２ｂに嵌まることで角度固定可能となる。図１０は第２排出トレイ２ｂを回動させた時の第２ヒンジ１０２の様子を模式的に表した図である。凸部１０２ａはバネ１４０によって支えられ、図１０(ａ)の矢印方向に退避できる構成になっている。第２排出トレイ２ｂを回動させると、図１０(ｂ)のように溝１０２ｂに嵌まっている凸部１０２ａが退避する。さらに回動させていくと最終的に凸部１０２ａは隣の溝に移動し、退避が解除され（図１０(ｄ)）、第２排出トレイ１０２ｂは図１０(ａ)とは異なる角度に固定される。このように、第２排出トレイ１０２ｂは第１排出トレイ１０２ａに対し、複数の角度に調節でき、画像読取装置Ａの設置面と排出トレイとのなす角を大きくすることができる。
【００５７】
例えば、図１０(ｄ)の状態では、図１０(ａ)の状態と比べて、排出トレイ２が鉛直方向上方に持ち上げられることとなり、排出トレイ２の上面において搬送媒体Ｓの先端が着地する位置を変更することができる。これにより、図１１に示すように、排出される搬送媒体Ｓの先端が、既に排出済みの搬送媒体Ｓの後端に当接して押し出してしまうような場合において、排出トレイ２を画像読取装置Ａの設置面と排出トレイとのなす角が大きくなる方向に変更することで、既に排出済みの搬送媒体Ｓの後端を下部ユニット１０４側に寄せる作用に加えて、既に排出済みの搬送媒体Ｓの上面に、後続の搬送媒体Ｓの先端を確実に着地させることができる。また、第２ヒンジ１０２に角度調節機能を設けることで、排出済みの搬送媒体Ｓが排出トレイ２に載っていても排出トレイの角度調節が可能である。そのため、搬送途中に排出される搬送媒体Ｓの先端が、既に排出済みの搬送媒体Ｓの後端に当接して押し出してしまうといった搬送媒体Ｓの整列性異常が発生した場合でも、排出トレイ２の角度を調節して整列性を改善することができる。このような構成により、排出トレイ２上での排出済みの搬送媒体Ｓの整列性を格段に向上することができる。
【００５８】
なお、本実施形態においては、第１排出トレイ２ａに設けられた凸部１０２ａと第２排出トレイ２ｂに設けられた溝１０２ｂを用いて角度調節を行っているが、第１排出トレイ２ａに対して、第２排出トレイ２ｂを角度調節できるような構成を有すればよく、例えば、第１排出トレイ２ａに溝を設け、第２排出トレイ２ｂに凸部を設けてもよいし、第２ヒンジ１０２にトルクリミッタを取り付けて、第２排出トレイ２ｂの角度を調節してもよい。また、第２ヒンジ１０２にラッチを取り付け、固定解除できるようなレバーやスイッチ等を設けて、角度調節できるようにしてもよい。
【００５９】
また、本実施形態においては、排出トレイ２を第１排出トレイ２ａ及び第２排出トレイ２ｂの２枚構成にしたが、第２排出トレイ２ｂを第１排出トレイ２ａから引き出し可能または回動可能に設け、必要な時に延長させて使用する構成にしてもよい。図１２に延長式排出トレイを取り付けた画像読取装置の概略図を示す。
【００６０】
第２排出トレイ２ｂは、第１排出トレイ２ａに組み込まれ、不図示のレール部材により搬送媒体Ｓの排出方向Ｘと平行に移動可能に取り付けられている。また、ヒンジ部１０２ｃには図９に示すような角度調節機能を設けている。このような構成にすることで、角度だけでなく用紙サイズに合わせて第２排出トレイ２ｂの移動量を調整することができるため、整列性をよくすることができる。第２排出トレイ２ｂの回動中心（回動支点）が移動可能なようにするために、第２排出トレイ２ｂにおける第１排出トレイ２ａと当接する部分に回動軸に沿う方向に延びるボス形状を有し、第１排出トレイ２ａにはそれに対応する溝形状を形成すれば良い。
【００６１】
例えば、図１３（ａ）に示すように比較的小さな用紙を排出する場合には、第２排出トレイ２ｂの排出口からの移動量を少なくし、図１３（ｂ）に示すように比較的大きな用紙を排出する場合には、第２排出トレイ２ｂの排出口からの移動量を多くして、整列性を調節することが可能である。さらに、不要なときは第２排出トレイ２ｂを第１排出トレイ２ａに収納可能なため、装置をコンパクトにすることができる。なお、ここでは図１２のヒンジ部１０２ｃに図９のような角度調節機能を設けたが、第２排出トレイ２ｂを角度調節できるような構成を有すればよく、例えば、第２ヒンジ１０２ｃにトルクリミッタを取り付けて、第２排出トレイ２ｂの角度を調節してもよい。
【符号の説明】
【００６２】
Ａ  画像読取装置Ｓ  搬送媒体１  載置台２  排出トレイ２ａ  第１排出トレイ２ｂ  第２排出トレイ３、４  駆動部５  伝達部１０  第１搬送部１１  送りローラ１２  分離ローラ２０  第２搬送部２１  駆動ローラ２２  従動ローラ３０  第３搬送部３１  駆動ローラ３２  従動ローラ４０  重送検出センサ５０、６０  媒体検出センサ７０  画像読取ユニット８０  制御部８４  通信部９０  表示パネル９１  下部パネル９３  表示画面１００  本体１０１  第１ヒンジ１０２  第２ヒンジ１０２ａ  凸部１０２ｂ  溝１０２ｃ  ヒンジ部１０３  上部ユニット１０４  下部ユニット１０５  本体ヒンジ１１０  給送トレイ１１１  規制部材１２０  排出位置調整部材１２１  透光部１２２  操作キー１３０  突出部１４０  バネ
【図１】
2018104155.tif 000003
【図２】
2018104155.tif 000004
【図３】
2018104155.tif 000005
【図４】
2018104155.tif 000006
【図５】
2018104155.tif 000007
【図６】
2018104155.tif 000008
【図７】
2018104155.tif 000009
【図８】
2018104155.tif 000010
【図９】
2018104155.tif 000011
【図１０】
2018104155.tif 000012
【図１１】
2018104155.tif 000013
【図１２】
2018104155.tif 000014
【図１３】
2018104155.tif 000015